(57)【要約】      （修正有）【課題】膀胱機能を廃絶することなく、どのような場所であっても前準備なしに、膀胱機能が正常な人と同様に排尿行為を行うことができるように支援する排尿支援装置を提供する。【解決手段】排尿支援装置は、支持部１１、第１のバネ部１２及び第２のバネ部１３を備え、第１のバネ部１２と第２のバネ部１３にそれぞれ第１の熱伝導板１４、第２の熱伝導板１５をバネ部１２、１３に熱伝導可能にペルチェ素子を介在させて配設した伸縮機構１０を、膀胱を押圧する押圧部２０の両端に支持部１１に枢軸されたリンク軸３０を介して配設し、当該リンク軸３０は各伸縮機構の第１のバネ部１２及び第２のバネ部１３と接合し、前記ペルチェ素子を制御する制御部を有する。これらの構成によりペルチェ素子に電流を流すことで機械的動作を経て円滑に排尿行為を行うことができる。【選択図】  図１
2006136416.tif 000002
【特許請求の範囲】
【請求項１】
膀胱周辺のいれずかの骨に固定され長尺状の支持部、当該支持部の片側に温度変化により伸縮する第１のバネ部及び前記支持部の他側に温度変化により伸縮する第２のバネ部を備え、当該第１のバネ部と第２のバネ部にそれぞれ第１の熱伝導板、第２の熱伝導板をバネ部に熱伝導可能にペルチェ素子を介在させて配設した伸縮機構を、膀胱を押圧する押圧部の両側に前記支持部に枢軸されたリンク軸を介して配設し、当該リンク軸は各伸縮機構の第１のバネ部及び第２のバネ部と接合し、前記ペルチェ素子を制御する制御部を有することを
特徴とする排尿支援装置。
【請求項２】
前記請求項１に記載の排尿支援装置において、
前記押圧部の両側にそれぞれ２つの伸縮機構を設けたことを
特徴とする排尿支援装置。
【請求項３】
前記請求項１または２に記載の排尿支援装置において、
前記第１のバネ部又は第２のバネ部のうち一方の変態開始温度を人間の平熱以上とし、他方の変態終了温度を人間の平熱以下とすることを
特徴とする排尿支援装置。
【請求項４】
前記請求項１ないし３のいずれかに記載の排尿支援装置において、
前記第１のバネ部及び第２のバネ部を伸縮する蛇腹で被覆することを
特徴とする排尿支援装置。
【請求項５】
前記請求項１ないし４のいずれかに記載の排尿支援装置において、
前記押圧部の膀胱に接触する部分が、膀胱の形状に対応した形状を有していることを
特徴とする排尿支援装置。
【請求項６】
前記請求項１ないし５のいずれかに記載の排尿支援装置において、
前記制御部に指令を送るリモートコントローラーを人体外に有することを
特徴とする排尿支援装置。
【請求項７】
前記請求項１ないし６のいずれかに記載の排尿支援装置において、
駆動電力を電波から得ることを
特徴とする排尿支援装置。
【請求項８】
膀胱周辺のいれずかの骨に固定され長尺状のベース部と、当該ベース部に一端を支持され、温度変化又は電圧変化により形状を変化する変位部とを備え、前記変位部が温度変化又は電圧変化によって形状を変化させて膀胱を圧迫することを
特徴とする排尿支援装置。
【請求項９】
膀胱周辺のいれずかの骨に固定され長尺状のベース部と、膀胱周辺に位置し、可動物と可動受けからなる伸縮機構部と、前記ベース部に一端を支持され、当該一端を中心として膀胱側へ回動可能な傾倒部と、前記伸縮機構部の可動物と傾動部とを接続するリンク材とを備えることを
特徴とする排尿支援装置。
【請求項１０】
前記請求項８または９に記載の排尿支援装置において、
変位部又は傾動部の膀胱接触部にクッション材を設けたことを
特徴とする排尿支援装置。
【発明の詳細な説明】
【技術分野】
【０００１】
本発明は、排尿を支援させる排尿支援装置に関し、特に、人体内部に備えられ膀胱を押圧する排尿支援装置に関する。
【背景技術】
【０００２】
背景技術としては、国際公開ＷＯ９９／０１０９２にて開示される排尿装置がある。この背景技術となる排尿装置は、可撓チューブと、プランジャと、受け台と、弾性部材と、電磁ソレノイドと、作動子とからなる。可撓チューブは、注入口と排出口とを有する。プランジャは、一端に押圧部を、他端に接触部を有する。受け台は、可撓チューブをプランジャの押圧部下方で支持する。弾性部材は、プランジャの押圧部を常態で可撓チューブに押し付けて可撓チューブを押圧部と受け台との間に圧迫 閉塞させる。電磁ソレノイドは、プランジャの接触部を選択的に吸引・反発する。作動子は、電磁ソレノイドを選択的に電源に接続する。この構成において、可撓チューブの注入口がカテーテルをかいして膀胱 に接続され、可撓チューブの排出口が導管をかいして採尿袋に接続される。膀胱内の尿圧力が所定値に達したとき、作動子によって電磁ソレノイドが付勢され、プランジャの押圧部が後退されて可撓チューブの圧迫 閉塞が解除される。可撓チューブの注入口に連通する膀胱内の尿圧力を所定値に設定し、尿圧力が所定値に達したときはチューブの排出口から外部の採尿袋に膀胱内の尿を全て排尿する。排尿後は、前述の動作が再び繰り返される。このようにして背景技術の排尿装置によれば、膀胱はカテーテルを介して採尿袋に連結されているにもかかわらず、通常時と同様に貯尿・排尿のために膨張・収縮を繰り返すことができ、膀胱機能を廃絶することなく、排尿を行わせることができる。
【特許文献１】国際公開ＷＯ９９／０１０９２
【発明の開示】
【発明が解決しようとする課題】
【０００３】
しかしながら、前記背景技術の排尿装置は以上のように構成され、カテーテルを膀胱に装着した状態でのみ使用することができ、排尿行為の前に諸準備が必要であり、また、装置を置いている場所でしかかかる装置を用いた排尿行為をすることができず、利便性に劣るという課題を有する。
【０００４】
本発明は前記課題を解決するためになされたものであり、膀胱機能を廃絶することなく、どのような場所であっても前準備なしに、膀胱機能が正常な人と同様に排尿行為を行うことができるように支援する排尿支援装置を提供することを目的とする。
【課題を解決するための手段】
【０００５】
本発明に係る排尿支援装置は、胱周辺のいれずかの骨に固定され長尺状の支持部、当該支持部の片側に温度変化により伸縮する第１のバネ部及び前記支持部の他側に温度変化により伸縮する第２のバネ部を備え、当該第１のバネ部と第２のバネ部にそれぞれ第１の熱伝導板、第２の熱伝導板をバネ部に熱伝導可能にペルチェ素子を介在させて配設した伸縮機構を、膀胱を押圧する押圧部の両側に前記支持部に枢軸されたリンク軸を介して配設し、当該リンク軸は各伸縮機構の第１のバネ部及び第２のバネ部と接合し、前記ペルチェ素子を制御する制御部を有するものである。このように本発明においては、前記支持部、第１のバネ部及び第２のバネ部を備え、当該第１のバネ部と第２のバネ部にそれぞれ第１の熱伝導板、第２の熱伝導板をバネ部に熱伝導可能にペルチェ素子を介在させて配設した伸縮機構を、膀胱を押圧する押圧部の両端に前記支持部に枢軸されたリンク軸を介して配設し、当該リンク軸は各伸縮機構の第１のバネ部及び第２のバネ部と接合し、前記ペルチェ素子を制御する制御部を有するので、ペルチェ素子に電流を流すことで一方で熱の発生し他方で熱の吸収がおこり、かかる熱が押圧部の両側の伸縮機構の第１のバネ部（又は第２のバネ部）に熱伝導板を介在して伝導され伸張又は縮退し、このバネ部の伸縮に応じてリンク軸が支持部の枢軸点を中心に傾倒し、押圧部が押下され膀胱を押圧し、圧迫された膀胱内の尿が尿道を通って排出され、ペルチェ素子に電流を流すだけで後は機械的動作を経て円滑に排尿行為を行うことができる。一方、ペルチェ素子に電流が流れている間は、リンク軸が傾倒し押圧部が膀胱を押圧した状態が維持されるので、ペルチェ素子に電流を流すのを止め、バネ部の熱が通常値にしリンク軸を起上させ押圧部からの膀胱への圧迫を解くことができる。さらに、より迅速に圧迫状態から膀胱を解くためには、ペルチェ素子に対して前記電流方向とは逆方向に電流を流すことで、第１のバネと第２のバネがそれぞれ前記第２のバネと第１のバネの作用が生じ、迅速にリンク軸を起上させることもできる。
【０００６】
また、本発明に係る排尿支援装置は必要に応じて、前記押圧部の両側にそれぞれ２つの伸縮機構を設けたものである。このように本発明においては、前記押圧部の両側にそれぞれ２つの伸縮機構を設けたので、合計４つの伸縮機構を用いて押圧部をリンク軸を介して押下しており、偏りなく安定的に押圧部を押下することができ、膀胱を適切に圧迫することができる。
【０００７】
また、本発明に係る排尿支援装置は必要に応じて、前記第１のバネ部又は第２のバネ部のうち一方の変態開始温度を人間の平熱以上とし、他方の変態終了温度を人間の平熱以下とするものである。このように本発明においては、前記第１のバネ部又は第２のバネ部のうち一方の変態開始温度を人間の平熱以上とし、他方の変態終了温度を人間の平熱以下とするので、前記ペルチェ素子の発熱と吸熱により内側のバネが縮退し外側のバネが伸張し、前記作用が可能となる。
【０００８】
また、本発明に係る排尿支援装置は必要に応じて、前記第１のバネ部及び第２のバネ部を伸縮する蛇腹で被覆するものである。このように本発明においては、前記第１のバネ部及び第２のバネ部を伸縮する蛇腹で被覆するので、本装置が駆動して第１のバネ部及び第２のバネ部が伸張しても体内の器官を損傷することがない。
【０００９】
また、本発明に係る排尿支援装置は必要に応じて、前記押圧部の膀胱に接触する部分が、膀胱の形状に対応した形状を有しているものである。このように本発明においては、前記押圧部の膀胱に接触する部分が、膀胱の形状に対応した形状を有しているので、リンク軸による押圧力を無駄にすることなく円滑に膀胱を圧迫することができる。ここで、押圧部がかかる形状でない場合には膀胱が抑制されることく多方向に変形するので、効率的に圧迫することができないばかりか、バネの伸張も必要以上に必要となって、駆動領域が広がり他の器官に対する影響も大きく好ましくない。
【００１０】
また、本発明に係る排尿支援装置は必要に応じて、前記制御部に指令を送るリモートコントローラーを人体外に有するものである。このように本発明においては、前記制御部に指令を送るリモートコントローラーを人体外に有するので、患者の要求に応じて円滑に排尿行為を実現することができる。また、介護者や医療関係者が介護する場合に、患者がどのような場合であっても排尿行為を規則どおりに行わせることができる。カテーテルを用いた場合には医療関係者はともかく、介護者では操作が難しいという課題が従来はあった。
【００１１】
また、本発明に係る排尿支援装置は必要に応じて、駆動電力を電波から得るものである。このように本発明においては、駆動電力を電波から得るので、外部から永続的に電力供給を行うことができ、仮に電池により電力供給を行った場合と比べ、患者に対する負担が大幅に軽減することができる。電波から駆動電力を得る方法としては一般的にはコイルを配設し、かかるコイルから高周波を得て整流して直流を得る方法がある。
【００１２】
また、本発明に係る排尿支援装置は、膀胱周辺のいれずかの骨に固定され長尺状のベース部と、当該ベース部に一端を支持され、温度変化又は電圧変化により形状を変化する変位部とを備え、前記変位部が温度変化又は電圧変化によって形状を変化させて膀胱を圧迫するので、骨に固定されているベース部を固定点とし、温度変化又は電圧変化によって変位部が形状を変化させ、膀胱を繰り返し同一動作で圧迫することができ、安定的に排尿を繰り返し支援することができる。動作に変動がある場合には、設置者が予想しない動作が行われ、最悪他の臓器に悪影響を与える可能性があり、危険である。
【００１３】
また、本発明に係る排尿支援装置は、膀胱周辺のいれずかの骨に固定され長尺状のベース部と、膀胱周辺に位置し、可動物と可動受けからなる伸縮機構部と、前記ベース部に一端を支持され、当該一端を中心として膀胱側へ回動可能な傾倒部と、前記伸縮機構部の可動物と傾動部とを接続するリンク材とを備えるので、骨に固定されているベース部を固定点とし、伸縮機構部を体外から使用者等の手で押さえることで、可動物が可動受けに収納されながら、可動物に接続するリンク材も同様に移動し、傾動部も膀胱側へ傾動し、膀胱を繰り返し同一動作で圧迫することができ、安定的に排尿を繰り返し支援することができる。
【００１４】
また、本発明に係る排尿支援装置は必要に応じて、変位部の膀胱接触部にクッション材を設けたので、膀胱を傷つけることなく、圧迫することができる。ここで、クッション材としては、既に豊胸手術で実績のあり不活性物質であって高い潤滑性を有するシリコン等を用いることができる。詳細には、可撓性外被から成り、シリコンが当該可撓性外被内に保持されているものを、クッション材として用いることができる。この可撓性外被自体は、シリコン 、ポリウレタン及びバイオ適合性ポリマーから成るグループの１つ又は複数を成形したものである。
【発明を実施するための最良の形態】
【００１５】
（本発明の第１の実施形態）
本発明の第１の実施形態に係る排尿支援装置について、図１ないし図６に基づき説明する。図１は本実施形態に係る排尿支援装置の概略図、図２は本実施形態に係る排尿支援装置の膀胱を圧縮していない状態図、図３は本実施形態に係る排尿支援装置の膀胱を圧縮している状態図、図４及び図５は本実施形態に係る排尿支援装置の全体図、並びに、図６は本実施形態に係る排尿支援装置を設置した例示図である。
【００１６】
前記各図において本実施形態に係る排尿支援装置は、膀胱周辺のいれずかの骨に固定され長尺状の支持部１、当該支持部１の片側に温度変化により伸縮する第１のバネ部１２及び前記支持部の他側に温度変化により伸縮する第２のバネ部１３を備え、当該第１のバネ部１２と第２のバネ部１３にそれぞれ第１の熱伝導板１４、第２の熱伝導板１５をバネ部１２、１３に熱伝導可能にペルチェ素子１６を介在させて配設した伸縮機構１０を、膀胱を押圧する押圧部２０の両側に前記支持部１１に枢軸されたリンク軸３０を介して配設し、当該リンク軸３０は各伸縮機構１０の第１のバネ部１２及び第２のバネ部１３と接合し、前記ペルチェ素子１６を制御する制御部（図示しない）を有する構成である。本実施形態では、４つの伸張機構１０を用いる。
【００１７】
前記第１のバネ部１２は、本実施形態では膀胱側の内側のバネであり、具体的には形状記憶合金を用いる。この形状記憶合金を用いれば、外力によって塑性変形しても加熱することにより高い弾性を回復し、記憶させておいて形状を再現させることができる。特に、Ti-Ni系形状記憶合金は、医療用材料としても生体適合性に優れている。生体温度を３６．５［℃］を基準とすると、この生体温度でばね定数が上がった状態とし、２６［℃］に冷却することで、ばね定数を下げて柔らかくする構成とする。すなわち、２６［℃］を変態開始温度し、３６．５［℃］を変態終了温度とする。ここでの数値は一具体例にすぎない。
【００１８】
前記第２のバネ部１３は、本実施形態では膀胱側の外側のバネであり、具体低には前記第１のバネ部１２と同様に形状記憶合金を用いる。同様に、生体温度を３６．５［℃］を基準とすると、この生体温度ではばね定数が下がった状態にあり、４６［℃］まで加熱することで、ばね定数を上げた状態とすることにする。すなわち、３６．５［℃］以上の温度を変態開始温度とし、４６［℃］を変態終了温度とする。ここでの数値は一具体例にすぎない。
【００１９】
前記ペルチェ素子１６は、半導体素子であり、電流を流すことで素子の表面が吸熱し、他方面が発熱（放熱）し、両面に温度差が生じさせることができるものである。このペルチェ素子１６を用いることで前記第１のバネ部１２及び第２のバネ部１３をそれぞれ吸熱、発熱させることができる。
【００２０】
前記熱伝導板１４、１５は、アルミ板及び銅であり、他の熱を伝導可能な媒体であれば適用することができる。本実施形態では、前記ペルチェ素子をアルミ板で挟持し、銅板を介してアルミ板から形状記憶合金へ熱伝導を行う。ここで、銅板から第１のバネ部１２及び第２のバネ部１３へ熱を伝導する場合に、単純に銅板と第１のバネ部１２及び第２のバネ部１３を接続してもできるが、第１のバネ部１２及び第２のバネ部１３が可動部であるため接触可能な部分が限られ円滑な熱伝導が実現できない。そこで、第１のバネ部１２及び第２のバネ部１３を内包可能な筒状のもので覆ってこの筒内に液体を充填して銅板から第１のバネ部１２及び第２のバネ部１３への熱伝導をより円滑に可能とする。これによれば、前記一部分の接触により熱伝導を行う場合と比して、熱が全体的に伝導させるために偏りなく熱を伝導させることができ、バネ部の動作においても望ましい。さらに、筒状のもので覆うことは本排尿支援装置が人体内に設置されることを考慮すれば、可動部が被覆されることは望ましい。さらにまた、筒５１で覆うとしても上部は弾性可能な蛇腹５２で構成される被覆体５０とする。前記弾性可能な蛇腹の具体例としては、シリコン製のジャバラチューブがある。充填される液体としては、水、生理食塩水等が考えられる。
【００２１】
前記制御部は、マイコン若しくは電子回路で構成され、外部の要求に応じてペルチェ素子１６に対して電流を流す制御を行う。この制御部は、例えば、可動しない支持部に内設される。同様に、制御部及びペルチェ素子１６に電流の供給を行う電源部（図示しない）も可動しない支持部に内設される。
【００２２】
前記筒５１と支持部１１を腸骨、恥骨、坐骨等に直接接合した構成でもよいが、例えば、図４に示すような、基台４０に筒５１と支持部１１を固定し、この基台４０を前記腸骨等と接合する構成にすることもできる。基台４０には、膀胱を上部から納めることができるように穴６０が形成されている。さらに、この穴６０があるため膀胱の近接器官となる前立腺、尿の通路となる尿道のスペースが確保されることにもなる。また、基台４０は１つの構成にすることもできるし、図５に示すように、伸縮機構１０毎に基台４０を設けてもよく、この場合には、基台４０間に前記穴６０が形成されることとなる。また、図４及び図５の構成では、第１のバネ部に係る筒５１と第２のバネ部に係る筒５２との接合部分の筒がないが、これは基台４０間にも充填水が満たされ、この基台内に第１の熱伝導板１４、第２の熱伝導板１５及びペルチェ素子１６を配置した構成となっている。特に、図４においては、ドーナツ状となっているが、伸縮機構１０毎にセパレートされている構成である。端的に言えば、かかる接合部分の筒が基台４０に形成されていることに等しい。また、基台内には、前記では支持部１１に配置すると説明した制御部及び電源部を基台４０に配置することもできる。
【００２３】
次に、本実施形態に係る排尿支援装置の動作について説明する。予め本排尿装置を開腹手術により、膀胱１００が収まるように人体に設置しなれければならない。人体に本排尿支援装置を設置した例示図が図６である。
【００２４】
かかる排尿支援装置を手術により配設された患者は、尿意をもよおした場合に、排尿支援装置のリモコン（図示しない）を携帯して便所に行く。男性であれば、通常通り、立小便用便器の前に立ち、性器を所定方向に向けた状態で排尿不能ではない患者はまずは自己の筋力を頼りに尿を出そうとする。そして、一定の試みをなした後に、リモコンの開始ボタンを押下する。
【００２５】
かかるボタンが押下された場合に、リモコンから駆動命令が制御部に伝達される。制御部はかかる駆動命令を受け、ペルチェ素子１６に電流を流す。電流が流れるとペルチェ素子１６は、第１の熱伝導板１４からは吸熱をし、かかる熱を第２の熱伝導板１５に放熱を行う。第１の熱伝導板１４が内設された筒５１内の充填水の温度が低下し変態開始温度方向に近づいていく。そうすると、第１のバネ部１２が伸長する。一方、第２の熱伝導板１５が内設された筒５１内の充填水の温度が上昇し変態終了温度方向に近づいていく。そうすると、第２のバネ部１２が縮退する。かかる第１のバネ部１２の伸長及び第２のバネ部１２の縮退により、リンク軸３０が初期位置から傾倒し、押圧部２０を押下する。押圧部２０はかかる押圧により下方向に押し下げられ、膀胱１００を押圧する。膀胱１００はかかる押圧により、尿に対する内圧が上昇し、尿道から尿が排出される。
【００２６】
尿が排出されて尿意がなくなったと判断した患者は、リモコンの終了ボタンを押下する。リモコンはかかる終了命令を制御部に伝達する。終了命令が伝達された制御部は、ペルチェ素子１６に流していた電流を停止し、次に、逆方向に電流を流す。そうすると、吸熱と放熱とが逆転し、第２の熱伝導板１５からは吸熱をし、かかる熱を第１の熱伝導板１４に放熱を行う。第２の熱伝導板１５が内設された筒５１内の充填水の温度が低下し変態開始温度方向に近づいていく。そうすると、第２のバネ部１３が伸長する。一方、第１の熱伝導板１４が内設された筒５１内の充填水の温度が上昇し変態終了温度方向に近づいていく。そうすると、第１のバネ部１３が縮退する。かかる第２のバネ部１３の伸長及び第１のバネ部１２の縮退により、リンク軸３０が傾いた状態から復帰する。押圧部２０は前記押圧から解放され、膀胱１００により押し上げられる。
【００２７】
以上により排尿行為が終了する。ここで、リモコンを用いて終了命令を制御部に伝達したが、伝達されない場合、すなわち、患者が忘れて終了ボタンを押下しない場合でも、所定時間経過すると、制御部は電流を流すことを停止する構成にもすることができ、これによれば、所定時間経過後には充填水の温度が体温となって、第２のバネ部１３が伸長され、第１のバネ部１２の縮退し、これによりリンク軸３０が傾いた状態から復帰する。そうすると、押圧部２０は膀胱１００を押圧しなくなる。このように患者が忘れた場合でも、自然に復帰するようにすることもできる。また、リモコンをなくした場合、制御部が故障した場合でも、常に、復帰状態が維持されるので、膀胱１００を押圧した状態が継続して続くことはなく、安全面でも優れている。
【００２８】
このように本実施形態に係る排尿支援装置によれば、前記支持部１１、第１のバネ部１２及び第２のバネ部１３を備え、当該第１のバネ部１２と第２のバネ部１３にそれぞれ第１の熱伝導板１４、第２の熱伝導板１５をバネ部１２、１３に熱伝導可能にペルチェ素子１６を介在させて配設した伸縮機構１０を、膀胱を押圧する押圧部２０の両端に前記支持部１１に枢軸されたリンク軸３０を介して配設し、当該リンク軸３０は各伸縮機構の第１のバネ部１２及び第２のバネ部１３と接合し、前記ペルチェ素子１６を制御する制御部を有するので、ペルチェ素子１６に電流を流すことで一方で熱の発生し他方で熱の吸収がおこり、かかる熱が押圧部２０の両側の伸縮機構１０の第１のバネ部１２（又は第２のバネ部１３）に熱伝導板１４（又は１５）を介在して伝導され伸張又は縮退し、このバネ部の伸縮に応じてリンク軸３０が支持部１１の枢軸点を中心に傾倒し、押圧部２０が押下され膀胱１００を押圧し、圧迫された膀胱１００内の尿が尿道を通って排出され、ペルチェ素子１６に電流を流すだけで後は機械的動作を経て円滑に排尿行為を行うことができる。
【００２９】
なお、本実施形態に係る排尿支援装置においては、リモコンに調節ツマミを設けかかる調節ツマミの調整に応じて、ペルチェ素子１６に流れる電流量を調整することもでき、より迅速に膀胱１００を押圧すること、及び、どの程度膀胱１００を押圧するかを調整することもできる。
【００３０】
（本発明の第２の実施形態）
本発明の第２の実施形態に係る排尿支援装置について、図７に基づき説明する。図７は本実施形態に係る排尿支援装置の動作説明図である。図７中の実線の変位部１１１が膀胱を圧迫していない状態を示し、点線の変位部１１１が膀胱を圧迫している状態を示している。
【００３１】
本実施形態に係る排尿支援装置は、膀胱周辺のいれずかの骨に固定され長尺状のベース部１１０と、このベース部１１０に一端を支持され、温度変化により形状を変化する変位部１１１とを備え、前記変位部１１１が温度変化によって形状を変化させて膀胱１００を圧迫する構成である。また、変位部１１１の膀胱接触部にクッション材１１２を設けている。
【００３２】
温度変化により形状を変化する物質としては形状記憶合金がり、所定温度を与えることに記憶させた形状に変形する。
【００３３】
本排尿装置を開腹手術により図７に示すように人体に設置する。手術後傷が塞がった後に、下腹部に対して手、湯たんぽ等で暖めることにより、形状記憶合金から形成される変位部１１１が、図７の実線から図７の点線に変化し、膀胱１００を圧迫する。
【００３４】
このように本実施形態に係る排尿支援装置によれば、骨に固定されているベース部１１０を固定点とし、温度変化又は電圧変化によって変位部１１１が形状を変化させ、膀胱１００を繰り返し同一動作で圧迫することができ、安定的に排尿を繰り返し支援することができる。
【００３５】
（本発明の第３の実施形態）
本発明の第３の実施形態に係る排尿支援装置について、図８又は図９に基づき説明する。図８又は図９は本実施形態に係る排尿支援装置の動作説明図である。図８が膀胱を圧迫していない状態であり、図９が膀胱を圧迫している状態である。
【００３６】
本実施形態に係る排尿支援装置は、膀胱周辺のいれずかの骨に固定され長尺状のベース部２１０と、膀胱１００周辺に位置し、可動物２１１ａと可動受け２１１ｂからなる伸縮機構部２１１と、前記ベース２１０部に一端を支持され、この一端を中心として膀胱側へ回動可能な傾倒部２１２と、前記伸縮機構部２１１の可動物２１１ａと傾動部２１２とを接続するリンク材２１３とを備える構成である。また、傾倒部２１２の膀胱接触部にクッション材２１４を設けている。
【００３７】
本排尿装置を開腹手術により図８に示すように人体に設置する。手術後傷が塞がった後に、下腹部に対して手でリンク材２１３と可動物２１１ａが接続している部分を手前方向に押さえることで、可動物２１１ａが可動受け２１１ｂに収納され、この可動物２１１ａに接続するリンク材２１３も移動し、さらに、リンク材２１３と接続する傾動部２１２が傾動し、膀胱１００を圧迫し排尿を支援することができる。再び、腎臓から尿管を介して膀胱に尿が貯まると、自動的に、傾動部２１２が押しあがり、リンク材２１３及び可動物２１１ａも同様に元位置に戻る。
【００３８】
このように本実施形態に係る排尿支援装置によれば、骨に固定されているベース部２１０を固定点とし、伸縮機構部２１１を体外から使用者等の手で押さえることで、可動物２１１ａが可動受けに収納されながら、可動物２１１ａに接続するリンク材２１３も同様に移動し、傾動部２１２も膀胱側へ傾動し、膀胱１００を繰り返し同一動作で圧迫することができ、安定的に排尿を繰り返し支援することができる。
【００３９】
なお、本実施形態に係る排尿支援装置においては、リンク材２１３と可動物２１１ａが接続している部分に腹壁接触部分にクッション材２１４を設けることもでき、腹壁へのキズを防止することができる。
【００４０】
また、本実施形態に係る排尿支援装置においては、可動受け２１１ｂにバネを設け、可動物２１１ａが使用者の手によって押されて排尿支援をした後に、バネの付勢力によって可動物２１１ａ、リンク材２１３及び傾動部２１２が元に戻る構成にすることもでき、傾動部２１２が膀胱１００を常に押さえた状態となって必要以上の残尿感を使用者に与えることを防止することができる。
【００４１】
（本発明のその他の実施形態）
前記第２の実施形態に係る排尿支援装置においては図７に示す構成としたが、図７（ｂ）に相当する要部拡大図である図１０の構成にすることもでき、膀胱周辺のいれずかの骨に固定され長尺状のベース部１１０と、このベース部１１０に一端を支持され、長尺状の所定形状を保つ起動部３１１と、この起動部３１１に一端を固定され、他端が圧電素子からなるリンク材３１３とを備え、リンク材３１３の他端が通常時で起動部３１１のベース部１１０に位置し、電圧印加時にベース部１１０に沿って直下方向に移動する構成にすることもでき、リンク材３１３の圧電素子部分に電圧印加されることにより体積変化が生じて、ベース部１１０に沿ってリンク材３１３の他端が直下方向に所定変位分（図中で∇）移動し、リンク材３１３の一端と固定されている起動部３１１が起動し（図１０（ｂ）参照。なお、図１０（ａ）は起動前の状態を示す。）、起動部の他端部分が膀胱１００を繰り返し同一動作で圧迫することができ、安定的に排尿を繰り返し支援することができる。ここで、リンク材３１３の圧電素子部分を、形状記憶合金で形成し、同様に所定分変位させる構成にすることもできる。また、ベース部１１０のリンク材３１３との接続部分を圧電素子又は形状記憶合金にして、ベース部１１０の体積変化によりリンク材３１３を変位させる構成であってもよい。
【００４２】
また、同様にベース部１１０、起動部３１１及びリンク材３１３の構成で、リンク材３１３のベース部１１０の接続端をジョイントとし、このジョイント部分がベース部１１０をリールとして機能させてベース部１１０が上下可能とし、起動部３１１のベース部１１０の接続端を固定端とし、この固定端と前記ジョイントとを中央が曲折し２方向の延出手３１４ａ、３１４ｂを有する拡開材で接続し、この拡開材３１４の延出手の中央部分に形状記憶合金を配置し、通常時で形状記憶合金が短い状態で拡開材３１４を狭角とし（図１１（ａ）参照）、排尿支援装置使用時に形状記憶合金が長い状態で拡開材３１４を広角として起動部３１１を起動させ（図１１（ｂ）参照）、同様に、膀胱を圧迫して排尿を支援することもできる。この場合に、形状記憶合金の代わりに、圧電素子を用いることもでき、圧電素子に電圧印加の有無によって体積膨張を生じさせて、形状記憶合金と同様に機能させることもできる。
【００４３】
また、図１１の構成は例示であって一般的なアクチュエーターで動作可能であり、他の例として図１２の構成であっても同様に動作することができる。図１２の構成は、前記と同様、ベース部１１０、起動部３１１及びリンク材３１３の構成で、リンク材３１３のベース部１１０の接続端をジョイントとし、このジョイント部分がベース部１１０をリールとして機能させてベース部１１０が上下可能とし、起動部３１１のベース１１０の接続端を固定端とし、ベース部を軸として起動部３１１と反対方向に延出材３１５ｂを前記ジョイントに接続し、延出材３１５ｂと同様で形状が鉤部を２箇所を有する延出材３１５ａ前記固定端にを接続し、この延出材３１５ａ、３１５ｂの開放端を形状記憶合金にて接続した構成である。この形状記憶合金が、温度変化にて伸縮することにより、前記図１１同様に、膀胱を圧迫して排尿を支援することもできる。
【図面の簡単な説明】
【００４４】
【図１】本発明の第１の実施形態に係る排尿支援装置の概略図である。
【図２】本発明の第１の実施形態に係る排尿支援装置の膀胱を圧縮していない状態図である。
【図３】本発明の第１の本実施形態に係る排尿支援装置の膀胱を圧縮している状態図である。
【図４】本発明の第１の実施形態に係る排尿支援装置の全体図である。
【図５】本発明の第１の実施形態に係る排尿支援装置の全体図である。
【図６】本発明の第１の実施形態に係る排尿支援装置を設置した例示図である。
【図７】本発明の第２の実施形態に係る排尿支援装置の動作説明図である。
【図８】本発明の第３の実施形態に係る排尿支援装置の動作説明図である。
【図９】本発明の第３の実施形態に係る排尿支援装置の動作説明図である。
【図１０】本発明のその他の実施形態に係る排尿支援装置の動作説明図である。
【図１１】本発明のその他の実施形態に係る排尿支援装置の動作説明図である。
【図１２】本発明のその他の実施形態に係る排尿支援装置の動作説明図である。
【符号の説明】
【００４５】
１０  伸縮機構
１１  支持部
１２  第１のバネ部
１３  第２のバネ部
１４  第１の熱伝導板
１５  第２の熱伝導板
１６  ペルチェ素子
２０  押圧部
３０  リンク軸
４０  基台
５０  被覆体
５１  筒
５２  蛇腹
６０  穴
１００  膀胱
１１０  ベース部
１１１  変位部
１１２  クッション材
２１０  ベース部
２１１  伸縮機構部
２１１ａ  可動物
２１１ｂ  可動受け
２１２  傾倒部
２１３  リンク材
２１４  クッション材
３１１  起動部
３１３  リンク材
３１４  拡開材
３１４ａ、３１４ｂ  延出手    ３１５ａ、３１５ｂ  延出材
【図１】
2006136416.tif 000003
【図２】
2006136416.tif 000004
【図３】
2006136416.tif 000005
【図４】
2006136416.tif 000006
【図５】
2006136416.tif 000007
【図６】
2006136416.tif 000008
【図７】
2006136416.tif 000009
【図８】
2006136416.tif 000010
【図９】
2006136416.tif 000011
【図１０】
2006136416.tif 000012
【図１１】
2006136416.tif 000013
【図１２】
2006136416.tif 000014